(57)【要約】【課題】コストアップや大型化を招くことなく通信距離を延ばすことができるメモリカード用ソケットを提供する。【解決手段】メモリカード用ソケット１は、カード挿入口を通してカード収容部内にメモリカードＭＣを挿抜自在に受け入れるソケットブロック１０と、カード収容部内に挿入されたメモリカードＭＣの内蔵アンテナ１００の外側領域に少なくとも一部が配置される２次アンテナ２１を有し、メモリカードＭＣの主表面の法線方向においてソケットブロック１０に重ねて配置されたアンテナブロック２０と、上記法線方向においてカード収容部内に挿入されたメモリカードＭＣの内蔵アンテナ１００と２次アンテナ２１との間に位置し、アンテナブロック２０における内蔵アンテナ１００およびその内側領域１０５にそれぞれ対応する領域以外の領域に対応して配置された磁性シート２４とを備える。【選択図】図１
2008083868.tif 000002
【特許請求の範囲】
【請求項１】
主平面に沿う平面内でループ状に形成された内蔵アンテナを有し当該内蔵アンテナを介してリーダライタ装置との間で非接触通信によりデータを授受するメモリカードが挿抜自在に装着されるメモリカード用ソケットであって、
メモリカードが挿入されるカード挿入口および当該カード挿入口を通してメモリカードの少なくとも一部を挿抜自在に受け入れるカード収容部を具備したソケットブロックと、カード収容部内に挿入されたメモリカードの内蔵アンテナの外側領域に少なくとも一部が配置されるループ状の２次アンテナを有し、メモリカードの主表面の法線方向において前記ソケットブロックに重ねて配置されたアンテナブロックと、上記法線方向においてカード収容部内に挿入されたメモリカードの内蔵アンテナと２次アンテナとの間に位置し、且つ、アンテナブロックにおける前記内蔵アンテナおよび内蔵アンテナの内側領域にそれぞれ対応する領域以外の領域に対応して配置された磁性シートとを備えて成ることを特徴とするメモリカード用ソケット。
【発明の詳細な説明】
【技術分野】
【０００１】
本発明は、ＳＤメモリカードやマルチメディアカード（ＭＭＣカード）のようなメモリカードに非接触通信によって外部とのデータ授受を行うＩＣカード機能を持たせたメモリカードを挿抜自在に接続するためのメモリカード用ソケットに関するものである。
【背景技術】
【０００２】
従来、デジタルカメラや携帯電話機などの電子機器におけるデータ記憶手段として、カード型のハウジングにフラッシュメモリのような不揮発性メモリを内蔵したメモリカード、例えばＳＤメモリカード（登録商標）やマルチメディアカード（登録商標）が急速に普及してきた。そして、かかるメモリカードを挿抜自在に接続するためのメモリカード用ソケットとして、前方に開口したカード挿入口を通してメモリカードが内部に挿入されるハウジングと、ハウジング内に設けられメモリカードが有する接続端子に接触導通する複数のコンタクトと、ハウジング内でメモリカードの挿抜方向にスライド自在に設けられカード挿入口から挿入されるメモリカードに連動してハウジング内をスライド移動するスライド部材と、ハウジングに対してカード挿入口に向かう向きにスライド部材を付勢する付勢ばねと、メモリカードの接続端子がコンタクトに接触する保持位置よりも奥のロック位置までスライド部材が押し込まれるとスライド部材のカード挿入口へ向かう向きへの移動を禁止するとともに、スライド部材がロック位置よりも奥まで一旦押し込まれた状態で押力が解除されるとスライド部材を解放するプッシュオン・プッシュオフ型のロック機構とを備えたものが従来より提供されている（例えば、特許文献１参照）。
【０００３】
上記のようにプッシュオン・プッシュオフ型のロック機構を備えたメモリカード用ソケットにメモリカードを接続する際は、メモリカードをハウジングに挿入して押し込むと、スライド部材がメモリカードを介して押力を受け、メモリカードの接続端子がコンタクトに接触する保持位置よりもやや奥のロック位置まで移動したときに、カード挿入口へ向かう向きへのスライド部材の移動がロック機構によって禁止され、メモリカードへの押力を除去した後にもメモリカードが保持位置に留まることになる。一方、メモリカードを抜く際には、ロック位置よりも少し奥にメモリカードを一旦押し込んでからメモリカードへの押力を除去すると、ロック機構がスライド部材を解放し、メモリカードがスライド部材を介して付勢ばねのばね力を受け、ハウジングから押し出される。
【０００４】
ところで、非接触通信によって外部との間でデータを授受するＩＣカード機能を持たせたメモリカード（例えば、「SmartＳＤ」）が今後普及すると予測される。かかるＩＣカード機能付きのメモリカードには非接触通信用のアンテナが内蔵されているが、メモリカード自体が小型であるために内蔵アンテナも必然的に小型になり、通信距離の確保が重要な課題となる。例えば特許文献２には、アンテナを内蔵したクレジットカード型のアダプタにＩＣカード機能付きメモリカードを装着することで通信距離を確保する技術が開示されている。
【特許文献１】特開２００５−２６０１６号公報
【特許文献２】特開２００２−２７９３７７号公報
【発明の開示】
【発明が解決しようとする課題】
【０００５】
しかしながら、特許文献２に記載されている従来例のようにクレジットカード型のアダプタを使用した場合、従来のメモリカード用ソケットには装着することができず、専用のソケットを新たに設計し直す必要があり、ソケットが大型化するとともにコストが大幅に増大するという問題があった。
【０００６】
本発明は上記問題点に鑑みて為されたものであり、その目的とするところは、コストアップや大型化を招くことなく通信距離を延ばすことができるメモリカード用ソケットを提供することにある。
【課題を解決するための手段】
【０００７】
上記目的を達成するために、請求項１の発明は、主平面に沿う平面内でループ状に形成された内蔵アンテナを有し当該内蔵アンテナを介してリーダライタ装置との間で非接触通信によりデータを授受するメモリカードが挿抜自在に装着されるメモリカード用ソケットであって、メモリカードが挿入されるカード挿入口および当該カード挿入口を通してメモリカードの少なくとも一部を挿抜自在に受け入れるカード収容部を具備したソケットブロックと、カード収容部内に挿入されたメモリカードの内蔵アンテナの外側領域に少なくとも一部が配置されるループ状の２次アンテナを有し、メモリカードの主表面の法線方向においてソケットブロックに重ねて配置されたアンテナブロックと、上記法線方向においてカード収容部内に挿入されたメモリカードの内蔵アンテナと２次アンテナとの間に位置し、且つ、アンテナブロックにおける内蔵アンテナおよび内蔵アンテナの内側領域にそれぞれ対応する領域以外の領域に対応して配置された磁性シートとを備えて成ることを特徴とする。
【発明の効果】
【０００８】
請求項１の発明によれば、メモリカードの内蔵アンテナと２次アンテナとの間に、アンテナブロックにおける内蔵アンテナおよび内蔵アンテナの内側領域にそれぞれ対応する領域以外の領域に対応して磁性シートを配置しているので、磁性シートにより外部のリーダライタ装置の磁力線を引き込んで、２次アンテナの誘起電力を増大させて、通信距離を延ばすことができる。しかも磁性シートは、メモリカードの内蔵アンテナおよび内蔵アンテナの内側領域にそれぞれ対応する領域以外の領域に対応して配置されているので、磁性シートの存在によって内蔵アンテナに悪影響が発生することはない。さらに磁性シートは、アンテナブロックにおける内蔵アンテナおよび内蔵アンテナの内側領域にそれぞれ対応する領域以外の領域に対応して配置されており、磁性シートをアンテナブロックの大きさに収めることができるので、ソケットが大型化することはなく、したがってソケットを新たに設計し直す必要がないから、コストアップを招くこともない。
【発明を実施するための最良の形態】
【０００９】
以下に本発明の実施の形態を図面に基づいて説明する。
【００１０】
本発明に係るメモリカード用ソケットの実施形態を、電子機器等（図示せず）に設けられ、内蔵したアンテナを介した非接触通信により外部のリーダライタ装置との間でデータを授受するＩＣカード機能付きのＳＤメモリカード（登録商標）のようなメモリカードが挿抜自在に装着されるソケットを例に、図１〜図４を参照して説明する。尚、以下の説明では図２における上下の向きをそれぞれ上向き及び下向きと規定し、左斜め上方の向きを左向き、右斜め下方の向きを右向き、左斜め下方の向きを前向き、右斜め上方の向きを後向きと規定して説明を行う。
【００１１】
図２に示すように、本実施形態で用いるメモリカードＭＣは従来周知のＳＤメモリカード（登録商標）にループ状のアンテナ（内蔵アンテナ）１００並びにアンテナ１００を介した非接触通信により外部とのデータ授受を行う集積回路（ＩＣ）を内蔵してなり、外周形状が略矩形状であって、後側の上面に複数個（８個）の接続端子１０１が左右に並べて設けられている。アンテナ１００はメモリカードＭＣの主平面に沿う平面内でループ状に形成され、平面視の形状が略ロ字形に形成されており、メモリカードＭＣの内部空間においてメモリカードＭＣの一方の主表面（リーダライタ装置側の面であって図１の上面）に近接させて配置されている。またメモリカードＭＣの内部には、他方の主表面に近接させて上述の集積回路などを実装した回路基板（図示せず）が配置されており、この回路基板とアンテナ１００の間には磁性シート（図示せず）が配置されている。
【００１２】
また、メモリカードＭＣの後部（挿入側）の一方の角（左後ろの角）を落として逆差し防止用の傾斜カット部１０２を形成してあり、メモリカードＭＣの左側縁には、傾斜カット部１０２よりもやや前側の部位に矩形状に陥没したロック用切欠（図示せず）が設けられている。さらにメモリカードＭＣの右側縁には、手操作で摘みを前後にスライドさせることでデータの書き込み可能・禁止を切り替えるライトプロテクトスイッチ１０３が設けられている。
【００１３】
次に本実施形態のメモリカード用ソケット（以下、ソケットと略称する。）１について詳細に説明する。このソケット１は、メモリカードＭＣが挿抜自在に装着されるソケットブロック１０と、２次アンテナ２１を具備してソケットブロック１０の上側に載置されるアンテナブロック２０とで構成される。
【００１４】
図４はソケットブロック１０の外観斜視図であり、このソケットブロック１０は非接触通信機能を持たない従来のソケットとほぼ同様の構成及び機能を有し、メモリカードＭＣをカード挿入口１１ａを通してカード収容部１１ｂ内部に挿入し押し込むことで、当該メモリカードＭＣが所定のロック位置に保持され、その後ロック位置よりも奥まで一旦押し込んだ状態で押力を解除すると、メモリカードＭＣのロックが解除されてメモリカードＭＣがカード挿入口１１ａから押し出されるようになっている。すなわちソケットブロック１０は所謂プッシュオン・プッシュオフ機能を有している。
【００１５】
ソケットブロック１０は、図４に示すように一側面（挿入方向手前側の前面）に細長い帯状のカード挿入口１１ａが開口した扁平な箱状のケース１１と、ケース１１の内部にカード挿入口１１ａに連通して設けられたカード収容部１１ｂ内でカード挿入口１１ａ側と奥側との間で進退自在に配置されたスライダ１４と、スライダ１４をカード挿入口１１ａ側に付勢する付勢手段（図示せず）と、カード収容部１１ｂ内に配置されてメモリカードＭＣの接続端子１０１にそれぞれ電気的に接続される複数本（９本）の接触端子１５をカード収容部１１ｂの奥側に配置されるコンタクト支持部（図示せず）に左右方向に並べた状態で保持させたコンタクトブロック（図示せず）と、を備えている。
【００１６】
ケース１１は、導電性を有し且つ熱伝導性の良好な金属薄板（例えばステンレススチールなど）によりそれぞれ形成された上側（アンテナブロック２０側）のベースシェル１２と、下側のカバーシェル１３とを結合して構成される。
【００１７】
ベースシェル１２は、平板状であって前縁側に開放された切欠１２ｂを左右方向中央部に設けることで平面視の形状が略コ字形に形成された天板部１２ａと、この天板部１２ａの左右方向両側縁を略直角（下向き）に折り曲げてそれぞれ形成された帯状の側壁部（図示せず）とを有している。そして、カード挿入口１１ａ側の角部には、天板部１２ａ或いは側壁部（本実施形態では天板部１２ａ）を切り起こすことによって、スライダ１４がカード挿入口１１ａから前方に突出するのを規制するストッパ１２ｃが形成されている。なお、上述の切欠１２ｂは、カード収容部１１ｂ内にメモリカードＭＣを収容した状態で、メモリカードＭＣのアンテナ１００およびこのアンテナ１００の内側領域と上下方向（つまりメモリカードＭＣの主表面の法線方向）において重なる領域を少なくとも含む領域に形成されており、メモリカードＭＣに内蔵されたアンテナ１００とアンテナブロック２０に設けた２次アンテナ２１との間に金属製のベースシェル１２が介在しないようになっている。
【００１８】
一方、カバーシェル１３は、略平板状の底壁部１３ａと、底壁部１３ａの左右方向両側縁を略直角（上向き）に折り曲げてそれぞれ形成された帯状の側壁部１３ｂ，１３ｂとを有しており、各側壁部１３ｂには、ベースシェル１２の側壁部に設けた係止孔（図示せず）とそれぞれ係止する複数個（例えば各３個）の係止爪１３ｃが切り起こしによって形成されている。
【００１９】
而して、ベースシェル１２とカバーシェル１３とを各々の凹部同士を互いに対向させた状態で、カバーシェル１３の側壁部１３ｂを外側、ベースシェル１２の側壁部を内側にして各々の側壁部同士を重ね合わせることで、前後方向の両端が開口した扁平な略角筒状に形成し、一方（後側）の開口を、絶縁性の合成樹脂により左右方向に細長い直方体状に形成された上述のコンタクト支持部（図示せず）で閉塞することによって、ケース１１内部にカード収容部１１ｂを形成する。なお、ベースシェル１２とカバーシェル１３とを結合するに当たっては、ベースシェル１２およびカバーシェル１３の側壁部同士を重ね合わせた状態で、外側に位置するカバーシェル１３の側壁部１３ｂに設けた係止爪１３ｃを内側に折り曲げ、ベースシェル１２の側壁部に設けた係止孔に係止させることで、ベースシェル１２とカバーシェル１３とが一体に結合されるようになっている。
【００２０】
スライダ１４は、カード収容部１１ｂの内部に、カード挿入口１１ａ側と奥側との間（つまり前後方向）に進退可能な状態で取着されている。このスライダ１４は、メモリカードＭＣの先端面１０４に当接する奥壁部１４ａと、奥壁部１４ａの左右方向両端部から前方に向かって突出しメモリカードＭＣの左右両側面を支持する一対の側壁部１４ｂとを備え、平面視の形状が略コ字形に形成されている。また左側の側壁部１４ｂと奥壁部１４ａとの連結部位には、メモリカードＭＣの傾斜カット部１０２に当接する角壁部１４ｃが形成されている。そして、カード挿入口１１ａを通してカード収容部１１ｂにメモリカードＭＣが挿入されると、メモリカードＭＣの左右両側縁がスライダ１４の左右の側壁部１４ｂの間にガイドされるとともに、メモリカードＭＣの先端面１０４および傾斜カット部１０２が、それぞれ奥壁部１４ａおよび角壁部１４ｃの内壁に衝合する。この状態でメモリカードＭＣが図示しない係止機構によってスライダ１４に係止され、保持されるようになっており、この保持状態でメモリカードＭＣはスライダ１４とともにカード収容部１１ｂ内を前後方向に進退するのである。なお、奥壁部１４ａにおけるベースシェル１２側の上面には、スライダ１４がカード収容部１１ｂ内を奥側へ移動した際に接触端子１５との干渉を避けるための凹部１４ｄが、個々の接触端子１５に対応して形成されている。
【００２１】
ここにおいて、カード収容部１１ｂ内におけるスライダ１４の位置は、図示しないハートカム機構と、スライダ１４をカード挿入口１１ａ側に付勢するコイルスプリングのような付勢手段（図示せず）とを含む従来周知のプッシュオン・プッシュオフ機構によって制御される。ハートカム機構は、一例としてスライダ１４にガイド溝を設けるとともに、このガイド溝内を案内される案内子をケース１１に設けることによって構成される。ハートカム機構を構成するガイド溝は、その所定区間をスライダ１４の前後動に応じて案内子を一方向に案内する経路とし、その経路によって囲まれる部位に平面視ハート形のハートカムを設けてあり、ロック位置においてハートカムの凹部に案内子を係止させることで、スライダ１４をロック位置に保持し前方への移動を規制するようになっている。なおスライダ１４を付勢する付勢手段は、例えばケース１１とスライダ１４との間に懸架され、スライダ１４に対してカード収容部１１ｂの入口側（つまりカード挿入口１１ａ側）に付勢する付勢力を作用させている。
【００２２】
接触端子１５は、それぞれ弾性および導電性を有する金属材料により細長い棒状に形成されて、カード収容部１１ｂの奥側に配置されるコンタクト支持部（図示せず）に固定されており、カード収容部１１ｂの内部で、その奥側からカード挿入口１１ａ側に向かって延出している。各接触端子１５のカード挿入口１１ａ側の端部１５ａは略く字形に折曲されており、カード収容部１１ｂ内に挿入されたメモリカードＭＣの対応する接続端子１０１に弾接する。一方、各接触端子１５の反対側の端部１５ｂは、コンタクト支持部の後面から突出し、その先端側はカバーシェル１３の下面と平行な方向に延出しており、この先端側が電子機器に設けられた回路基板等に半田付けされる端子となっている。なお、接触端子１５は、コンタクト支持部にインサート成形によって固定しても良いし、圧入などの方法で固定しても良い。
【００２３】
次にアンテナブロック２０について説明する。アンテナブロック２０は、図３に示すように、ループ状の２次アンテナ２１が形成されたアンテナ基板２２と、アンテナ基板２２を上面側に保持するとともにソケットブロック１０の上側に載置される支持基台２３と、アンテナ基板２２と支持基台２３との間に介装される磁性シート２４とで構成される。
【００２４】
アンテナ基板２２は例えば非導電性の樹脂材料によって矩形板状に形成され、その中央部には矩形の窓孔２２ａが形成されている。そして、アンテナ基板２２には、窓孔２２ａの周りに、アンテナ基板２２の各辺に沿って螺旋を描くようにループ状の２次アンテナ２１が形成されている。ここに、２次アンテナ２１はアンテナ基板２２の表面上に導体パターンとして形成されているが、例えばアンテナ基板２２に２次アンテナ２１を構成する導電板をインサート成形するなど、その他の方法で形成しても良い。
【００２５】
この２次アンテナ２１は、メモリカードＭＣのアンテナ１００よりも外径が大きく、図１に示すように、メモリカードＭＣをカード収容部１１ｂ内の奥側に保持させた状態（装着状態）では、前側の１辺のみがアンテナ１００と重なった状態でアンテナ１００に対向するように配置されている。すなわち本実施形態のソケット１では、メモリカードＭＣを装着した状態で、メモリカードＭＣの内蔵アンテナ１００の挿入方向前方側（後側）が、２次アンテナ２１のコイル内に配置されつつ、２次アンテナ２１の左右のコイルパターンの内側に沿って内蔵アンテナ１００の左右のコイルパターンが配置されるように構成されている。なお２次アンテナ２１のループコイルの両端部は、アンテナ基板２２に設けたスルーホール２２ｂ，２２ｂを介して、アンテナ基板２２の裏面側に配置したチップコンデンサなどの電子部品（図示せず）に電気的に接続され、この電子部品によって２次アンテナ２１の周波数特性が調整されるようになっている。ここにおいて、支持基台２３に凹部２３ｅを設け、この凹部２３ｅとアンテナ基板２２とで囲まれる空間内に上記電子部品を収容することが好ましい。
【００２６】
支持基台２３は例えば非導電性の樹脂材料により形成され、略矩形の平板状であってアンテナ基板２２と左右方向および前後方向の寸法が略同一寸法に形成された平板部２３ａと、この平板部２３ａの左右方向両側縁から下向きに突出する側壁部２３ｂ，２３ｂとを一体に備えており、挿入方向（前側）から見た形状が略コ字形となっている。また平板部２３ａの上面には磁性シート２４を収容する収納凹部２３ｃが形成されている。さらに収納凹部２３ｃにおいて、アンテナ基板２２の窓孔２２ａに対向する部位には、窓孔２２ａ内に挿入される平面視矩形状の突台部２３ｄが形成されている。なお、左右の側壁部２３ｂ，２３ｂの間隔は、ソケットブロック１０の左右両側壁の外面の間隔と略同じか或いは僅かに広く形成してあり、支持基台２３をソケットブロック１０の上側に嵌着できるようにしてある。
【００２７】
一方、磁性シート２４は、ゴムや樹脂などの非導電性で且つ透磁性を有するバインダーと、フェライトなどの磁性粉又はフレークとを含んだ複合磁性シートからなり、比透磁率が比較的高く（例えば２３０〜３００）、且つ、電気伝導性が実質的に無いものを用いるのが好ましい。この磁性シート２４は、挿入方向の手前側（前方）に開放された切欠溝２４ａを形成することで平面視の形状が略コ字形に形成されており、上記の切欠溝２４ａは、メモリカードＭＣの装着状態において、メモリカードＭＣが内蔵するアンテナ１００およびその内側領域１０５と上下方向において重なる領域に形成されている（図１参照）。
【００２８】
而してアンテナブロック２０は、支持基台２３の上面に設けた収納凹部２３ｃ内に磁性シート２４を収納した後、アンテナ基板２２を支持基台２３の上面に被せて、アンテナ基板２２と支持基台２３との間に磁性シート２４を挟持した状態で、アンテナ基板２２と支持基台２３とを例えば接着等の方法により結合する。そして、このようにして組み立てたアンテナブロック２０を、両側壁部２３ｂを下向きにしてソケットブロック１０の上面に載置した状態で、アンテナブロック２０とソケットブロック１０とを例えば接着等の方法により結合する。
【００２９】
以上説明したように本実施形態のソケット１では、図１に示すようにメモリカードＭＣを装着した状態で、アンテナブロック２０におけるメモリカードＭＣの内蔵アンテナ１００および内蔵アンテナ１００の内側領域１０５に対応する領域以外の領域に磁性シート２４が配置され、この磁性シート２４が上下方向においてアンテナブロック２０の２次アンテナ２１と重なり合い、上下方向において内蔵アンテナ１００と２次アンテナ２１との間に磁性シート２４が配置されることになるので、図示しないリーダライタ装置の磁力線を引き込むことで２次アンテナ２０Ｂの誘起電力を増大させることができ、リーダライタ装置との間の非接触通信の性能を向上させて、通信距離を延ばすことができる。
【００３０】
また磁性シート２４はアンテナブロック２０の内部に配置されるので、磁性シート２４の大きさがアンテナブロック２０を超えることはなく、ソケット１の大きさを大きくすることなく通信性能を向上させることができ、またソケット１を新たに設計し直す必要がなく、従来と同様のソケット１を使用できるのでコストアップを招くこともない。さらに磁性シート２４は、メモリカードＭＣの内蔵アンテナ１００および内蔵アンテナ１００の内側領域１０５と上下方向において重なる領域には配置されていないので、内蔵アンテナ１００への磁性シート２４の悪影響を防止することができる。
【００３１】
ここにおいて、本発明者らは以下の４通りの条件ａ〜ｄで内蔵アンテナ１００に発生する誘起電圧を解析したところ、表１に示すような結果が得られた。
【００３２】
【表１】
2008083868.tif 000003
【００３３】
条件ａは磁性シートを用いないモデルについて解析を行った場合で、この場合は誘起電圧の解析値が４．１３Ｖとなった。条件ｂは内蔵アンテナ１００に重ならない領域に幅が４．０ｍｍ、厚みが０．２７ｍｍのフェライトシートからなる磁性シート２４を配置したモデルについて解析を行った場合で、この時の誘起電圧の解析値は４．９９Ｖとなった。条件ｃはアンテナブロック２０内において内蔵アンテナ１００および内側領域１０５に重ならない領域の略全体に横辺の幅が４．５ｍｍ、縦辺の幅が１２．４ｍｍで厚みが０．２７ｍｍのフェライトシートからなる磁性シート２４を配置したモデルについて解析を行った場合で、この時の誘起電圧の解析値は５．０６Ｖとなった。さらに条件ｄは、ソケットブロック１０のベースシェル１２に設けた切欠１２ｂ以外の領域に横辺の幅が３．７ｍｍ、縦辺の幅が３．１ｍｍで厚みが０．２７ｍｍのフェライトシートからなる磁性シート２４を配置したモデルについて解析を行った場合で、この時の誘起電圧の解析値は５．００Ｖとなった。誘起電圧が高いほど通信距離が長くなるので、上記の解析結果より、アンテナブロック２０において内蔵アンテナ１００および内蔵アンテナ１００の内側領域１０５にそれぞれ対応する領域以外の領域の略全体に磁性シート２４を配置した場合が誘起電圧が最も大きくなり、通信距離が最も長くなることが判明した。
【００３４】
すなわちアンテナブロック２０において、内蔵アンテナ１００および内蔵アンテナ１００の内側領域１０５にそれぞれ対向する領域以外の領域に磁性シート２４を配置すれば、通信距離を延ばすことができるが、内蔵アンテナ１００および内蔵アンテナ１００の内側領域１０５にそれぞれ対向する領域以外の領域に最大限の大きさの磁性シート２４を配置すれば、通信距離を延ばすという効果が最も得られるのである。
【００３５】
なお、本発明の精神と範囲に反することなしに、広範に異なる実施形態を構成することができることは明白なので、この発明は、特定の実施形態に制約されるものではない。
【図面の簡単な説明】
【００３６】
【図１】本実施形態のメモリカード用ソケットにメモリカードを装着した状態の平面図である。
【図２】同上にメモリカードを装着する前の状態の外観斜視図である。
【図３】同上を構成するアンテナブロックの分解斜視図である。
【図４】同上を構成するソケットブロックの外観斜視図である。
【符号の説明】
【００３７】
１    ソケット（メモリカード用ソケット）
１０  ソケットブロック
１１ａ  カード挿入口
１１ｂ  カード収容部
１５  接触端子
２０  アンテナブロック
２１  ２次アンテナ
２４  磁性シート
１００  内蔵アンテナ
１０５  内側領域
ＭＣ  メモリカード
【図１】
2008083868.tif 000004
【図２】
2008083868.tif 000005
【図３】
2008083868.tif 000006
【図４】
2008083868.tif 000007